(57)【要約】【課題】  土壌や土壌に配置された木材腐朽菌等の薬液需要体に、好適に薬液を供給可能とする薬液供給装置、土壌浄化システム、及び、薬液供給方法並びに土壌浄化方法を提供する。【解決手段】  薬液タンク１１、これに接続し複数の薬液吐出口を有する薬液供給管４０、５１、薬液吐出口の開閉度を調整する完全密閉栓、不完全密閉栓、薬液の供給量を調整する流量調整弁１３、２３、薬液吐出口に被さると共に薬液供給管を覆い、且つ、薬液が浸透可能である不織布９１を具えた薬液供給装置１と、木材腐朽菌が定着した汚染土壌浄化用容器及びこれに植え付けられた植物とを具え汚染土壌１０１に配置される汚染土壌容器−植物複合体２０１と、を備えた土壌浄化システムＳである。【選択図】      図１
2005144216.tif 000002
【特許請求の範囲】
【請求項１】
土壌及び土壌に配置された薬液需要体の少なくとも一方に、薬液を供給する薬液供給装置であって、
薬液供給源と、
当該薬液供給源に接続し、複数の薬液吐出口を有する薬液供給管と、
を備えたことを特徴とする薬液供給装置。
【請求項２】
前記薬液吐出口の開閉度を調整する薬液吐出口開閉度調整手段を、さらに備えたことを特徴とする請求項１に記載の薬液供給装置。
【請求項３】
前記薬液供給管は、
前記薬液供給源に接続した薬液供給主管と、
当該主薬液供給管に接続し、前記薬液吐出口を有する複数の薬液供給枝管と、
を備えたことを特徴とする請求項１または請求項２に記載の薬液供給装置。
【請求項４】
前記薬液の供給量を調整する流量調整手段を、さらに備えたことを特徴とする請求項１から請求項３のいずれか１項に記載の薬液供給装置。
【請求項５】
前記薬液供給管を覆い、且つ、前記薬液が浸透可能である浸透性部材を、さらに備えたことを特徴とする請求項１から請求項４のいずれか１項に記載の薬液供給装置。
【請求項６】
前記薬液供給管は、伸縮可能な材料から形成されたことを特徴とする請求項１から請求項５のいずれか１項に記載の薬液供給装置。
【請求項７】
複数の前記薬液供給源と、
当該複数の薬液供給源から供給される薬液を切り換える切換手段と、
を備えたことを特徴とする請求項１から請求項６のいずれか１項に記載の薬液供給装置。
【請求項８】
薬液需要体であって、木材腐朽菌が定着した容器と当該容器に植え付けられた植物とを有し、土壌に配置される容器−植物複合体と、
請求項１から請求項７のいずれか１項に記載の薬液供給装置と、を備え、
前記植物に前記薬液を供給して前記植物を成長させて、前記植物の根を前記木材腐朽菌に接触させつつ、当該木材腐朽菌が接触した根を前記土壌に伸長させることで、前記木材腐朽菌を前記土壌に定着させて、当該土壌を浄化することを特徴とする土壌浄化システム。
【請求項９】
土壌及び土壌に配置された薬液需要体の少なくとも一方に、薬液を供給する薬液供給方法であって、
前記土壌及び前記薬液需要体の少なくとも一方に、複数の薬液吐出口を有する薬液供給管を配置する第１工程と、
当該薬液供給管に薬液を流通させることで、前記複数の薬液吐出口から前記薬液を吐出して、前記土壌及び前記薬液需要体の少なくとも一方に薬液を供給する第２工程と
を有することを特徴とする薬液供給方法。
【請求項１０】
木材腐朽菌が定着した容器と当該容器に植え付けられた植物とを備え、土壌に配置された容器−植物複合体に対して、複数の薬液吐出口を有する薬液供給管を配置する第１工程と、
当該薬液供給管に薬液を流通させることで、前記複数の薬液吐出口から薬液を吐出して、前記容器−植物複合体に薬液を供給する第２工程と、
前記植物を成長させて、前記植物の根を前記木材腐朽菌に接触させつつ、当該木材腐朽菌が接触した根を前記土壌に伸長させることで、前記木材腐朽菌を前記汚染土壌に定着させて、当該汚染土壌を浄化する第３工程と、
を有することを特徴とする土壌浄化方法。
【発明の詳細な説明】
【技術分野】
【０００１】
本発明は、土壌または土壌に配置された薬液需要体に薬液を供給する薬液供給装置、薬液供給方法、及び、土壌浄化システム、並びに、土壌浄化方法に関する。
【背景技術】
【０００２】
我々人類は、産業革命以来、種々の科学技術を開発し、産業化を進め、豊かで快適な社会生活を営んできた。しかし、その一方で、地球規模での環境破壊が進行し、深刻な社会問題となっている。環境破壊の原因の一つには、産業活動の副産物として産出された多くの環境汚染物質があり、この環境汚染物質を除去し元の環境に修復することが、今後の極めて重要な課題となっている。
【０００３】
環境汚染物質を除去する方法としては、一般に、化学的方法、物理的方法、生物的方法が知られている。このうち、生物的方法は、最も省エネルギー且つ省資源のプロセスを有し、廃棄物の発生も少ない方法であり、その一方法として、バイオレメデイエーション（Ｂｉｏｒｅｍｅｄｉａｔｉｏｎ）が広く知られている。また、植物の機能を利用した環境修復技術として、ファイトレメデイエーション（Ｐｈｙｔｏｒｅｍｅｄｉａｔｉｏｎ）も知られている。
【０００４】
バイオレメデイエーションは、微生物が産生する酵素の浄化機能を巧みに利用して、環境汚染物質を分解・無害化して、最終的に二酸化炭素、メタン、水、無機塩、バイオマスなどに変換する技術である。
バイオレメデイエーションを汚染土壌の浄化に適用した場合、（１）土壌を掘削せずに建造物下の浄化が可能であること、（２）分解活性の高い微生物を利用することにより低濃度の有機化合物なども短時間で浄化できること、（３）低コストで環境負荷が少ないこと等の様々な利点を有しており、環境汚染物質の分解・除去技術として、注目されている。
【０００５】
バイオレメデイエーションによる汚染土壌の浄化方式は、（Ａ）環境汚染物質の分解能を有する微生物を固定化して利用するバイオリアクター方式、（Ｂ）汚染された土壌や地下水中に元来生息する微生物に各種栄養物質を供給し、その分解活性を増強させるバイオステイミュレーション方式、（Ｃ）環境汚染物質の分解能を有する微生物を汚染現場に直接散布し汚染現場に導入して浄化するバイオオーグメンテーション方式、の３つに大別される。
【０００６】
このうち、現在、実用化されているバイオレメデイエーションによる汚染土壌の浄化方式は、主に汚染現場に生息している微生物（分解菌）の分解活性を高める条件を付与する（Ｂ）バイオステイミュレーション方式である。この方法は土壌中に適当量の栄養源（窒素、りん等）を添加し、空気を送り込むことにより浄化を行うが、長い浄化期間を必要とする。
また、浄化速度は土壌温度に大きく支配され、特に冬季においては浄化効果が期待できない。
【０００７】
そこで、工事期間を短縮するために、土壌中で有効な微生物の活性を短期間に上昇させるような物質として、糖類などが見い出されている（特許文献１参照）。
一方、（Ｂ）バイオステイミュレーション方式により環境汚染物質を分解できない場合には、外部より微生物を汚染現場に導入する（Ｃ）バイオオーグメンテーション方式を併用する場合もある。このようなバイオレメデイエーション、バイオオーグメンテーションに用いる微生物の一つとして木材腐朽菌などが検討され、実用化に向けた研究が進められている。
【０００８】
木材腐朽菌は、種々の環境汚染物質に対して分解能を有する微生物として注目されており、天然の難分解性化合物であるリグニンの分解能の有無により、リグニンの分解能を有する白色腐朽菌と、リグニンの分解能を有しない褐色腐朽菌に分類される。リグニンの分解能の有無は、菌体外へのフェノール酸化酵素の産生の有無によるものである。フェノール酸化酵素としては、リグニンペルオキシダーゼ（ＬｉＰ）、マンガンペルオキシダーゼ（ＭｎＰ）、ラッカーゼ（Ｌａｃ）などが挙げられる。
【０００９】
すなわち、白色腐朽菌は、フェノール酸化酵素を産生するためリグニンを分解することができるが、褐色腐朽菌は、フェノール酸化酵素を産生しないためリグニンを分解することができない。ところが、褐色腐朽菌は、種々のフェノール化合物を無機化することが知られており、また、芳香族化合物に対する分解能を有すると考えられている。
【００１０】
このような木材腐朽菌や環境汚染物質に関する研究は、多くなされており、１９８５年、Ｂｕｍｐｕｓらにより、白色腐朽菌のファネロキエーテ・クリソスポリウム（Ｐｈａｎｅｒｏｃｈａｅｔｅ・ｃｈｒｙｓｏｓｐｏｒｉｕｍ、ＢＫＭＦ−１７６７、ＡＴＣＣ４２７２５）は、リンデンやＤＤＴ（有機塩素系殺虫剤）、ペンゾ（a）ピレン（多環式芳香族炭化水素の一種）、２、３、７、８−テトラクロロ−Ｐ−ジオキシン（ダイオキシンの一種）、３、３’、４、４’−テトラクロロビフェニール（コプラナーポリ塩化ビフェニール（Ｃｏ−ＰＣＢ）の一種）などの難分解性化学物質を分解する可能性についての示唆が報告されている（非特許文献１参照）。
【００１１】
この報告をきっかけに、白色腐朽菌のファネロキエーテ・クリソスポリウムを使用した環境汚染物質の分解に関する研究が盛んとなり、現在に至っている
【００１２】
また、このような木材腐朽菌を利用した浄化方法について、本願発明者による「汚染土壌浄化方法」が提案されている（特許文献２参照）。
【特許文献１】特開２００２−１３０３号公報（段落番号０００９〜００２３、第１図、第４図）
【特許文献２】特開２００２−６６５３１号公報（段落番号００１３〜００３０、第１図）
【非特許文献１】J.A.Buｍpus et al., Science, 228:1434-1436(1985)
【発明の開示】
【発明が解決しようとする課題】
【００１３】
しかしながら、特許文献２に開示された技術は、汚染土壌に植物と白色腐朽菌などの木材腐朽菌を投与する技術であり、短期間で大量の水または栄養を植物に供給する一般的な方法は、木材腐朽菌に適さないという問題が生じていた。したがって、木材腐朽菌を汚染土壌に投与しても、既存の水または栄養の供給方法では木材腐朽菌の生育が阻害され、環境汚染物質の分解に寄与する酵素の産生及び活性は、ともに低レベルであるという問題があった。
【００１４】
そこで、本発明は、土壌や土壌に配置された木材腐朽菌等の薬液需要体に、好適に薬液を供給可能とする薬液供給装置、土壌浄化システム、及び、薬液供給方法並びに土壌浄化方法を提供することを課題とする。
【課題を解決するための手段】
【００１５】
前記課題を解決するための手段として請求項１に係る発明は、土壌及び土壌に配置された薬液需要体の少なくとも一方に、薬液を供給する薬液供給装置であって、薬液供給源と、当該薬液供給源に接続し、複数の薬液吐出口を有する薬液供給管と、を備えたことを特徴とする薬液供給装置である。
【００１６】
ここで、本発明において薬液の種類は、特に限定されず、例えば、植物、微生物の生育を促進する水、栄養分や、植物、微生物に供給されることで、植物、微生物による酵素または化学物質の産生を促進する物質を含む。
【００１７】
このような薬液供給装置によれば、薬液供給管を、土壌及び薬液需要体の少なくとも一方に対し所定位置に配置し、薬液供給源から薬液を供給し、複数の薬液吐出口から薬液を吐出することで、土壌及薬液需要体の少なくとも一方に、薬液を徐々に供給することができる。
【００１８】
請求項２に係る発明は、前記薬液吐出口の開閉度を調整する薬液吐出口開閉度調整手段を、さらに備えたことを特徴とする請求項１に記載の薬液供給装置である。
【００１９】
このような薬液供給装置によれば、薬液吐出口開閉度調整手段により、土壌及び薬液需要体の少なくとも一方に供給する薬液の量を、調整することができる。
【００２０】
請求項３に係る発明は、前記薬液供給管は、前記薬液供給源に接続した薬液供給主管と、当該主薬液供給管に接続し、前記薬液吐出口を有する複数の薬液供給枝管と、を備えたことを特徴とする請求項１または請求項２に記載の薬液供給装置である。
【００２１】
このような薬液供給装置によれば、土壌及び薬液需要体の少なくとも一方に対応して、複数の薬液供給枝管を適宜配置することにより、薬液の供給範囲に応じて、薬液を好適に供給することができる。
【００２２】
請求項４に係る発明は、前記薬液の供給量を調整する流量調整手段を、さらに備えたことを特徴とする請求項１から請求項３のいずれか１項に記載の薬液供給装置である。
【００２３】
このような薬液供給装置によれば、流量調整手段により薬液の供給量を好適に調整することができる。
【００２４】
請求項５に係る発明は、前記薬液供給管を覆い、且つ、前記薬液が浸透可能である浸透性部材を、さらに備えたことを特徴とする請求項１から請求項４のいずれか１項に記載の薬液供給装置である。
【００２５】
このような薬液供給装置によれば、薬液吐出口から吐出した薬液は、浸透性部材の内部を浸透し、この浸透部材を介して土壌及び薬液需要体の少なくとも一方に供給される。すなわち、浸透性部材の大きさに応じて、薬液の供給範囲を適宜設定することができる。
また、薬液吐出口の数が少なくても、浸透性部材の大きさを適宜変更することで、薬液の供給範囲を設定することができる。
【００２６】
請求項６に係る発明は、前記薬液供給管は、伸縮可能な材料から形成されたことを特徴とする請求項１から請求項５のいずれか１項に記載の薬液供給装置である。
【００２７】
このような薬液供給装置によれば、土壌及び薬液需要体の少なくとも一方に対する薬液供給範囲に応じて、薬液供給主管及び薬液供給枝管を適宜配置することができる。
また、薬液供給管に形成された薬液吐出口も伸縮可能であるので、例えば、薬液吐出口に栓をして薬液吐出量を変化させる場合には、栓の大きさ適宜変更して、薬液吐出口の大きさ、形状を変化させることにより、薬液の供給量を調整することができる。
【００２８】
請求項７に係る発明は、複数の前記薬液供給源と、当該複数の薬液供給源から供給される薬液を切り換える切換手段と、を備えたことを特徴とする請求項１から請求項６のいずれか１項に記載の薬液供給装置である。
【００２９】
このような薬液供給装置によれば、切換手段を適宜切り換えることにより、複数の薬液供給源から薬液を切り換えて供給することができる。
【００３０】
請求項８に係る発明は、薬液需要体であって、木材腐朽菌が定着した容器と当該容器に植え付けられた植物とを有し、土壌に配置される容器−植物複合体と、請求項１から請求項７のいずれか１項に記載の薬液供給装置と、を備え、前記植物に前記薬液を供給して前記植物を成長させて、前記植物の根を前記木材腐朽菌に接触させつつ、当該木材腐朽菌が接触した根を前記土壌に伸長させることで、前記木材腐朽菌を前記土壌に定着させて、当該土壌を浄化することを特徴とする土壌浄化システムである。
【００３１】
このような土壌浄化システムによれば、植物に薬液を供給し、この植物を成長させて、植物の根を木材腐朽菌に接触させつつ、木材腐朽菌が接触した根を土壌に伸長させることで、木材腐朽菌を前記土壌に定着させて土壌を浄化することができる。
【００３２】
請求項９に係る発明は、土壌及び土壌に配置された薬液需要体の少なくとも一方に、薬液を供給する薬液供給方法であって、前記土壌及び前記薬液需要体の少なくとも一方に、複数の薬液吐出口を有する薬液供給管を配置する第１工程と、当該薬液供給管に薬液を流通させることで、前記複数の薬液吐出口から前記薬液を吐出して、前記土壌及び前記薬液需要体の少なくとも一方に薬液を供給する第２工程とを有することを特徴とする薬液供給方法である。
【００３３】
このような薬液供給方法によれば、土壌及び薬液需要体の少なくとも一方に配置された薬液供給管の複数の薬液吐出口から薬液を吐出することで、土壌及薬液需要体の少なくとも一方に、薬液を徐々に供給することができる。
【００３４】
請求項１０に係る発明は、木材腐朽菌が定着した容器と当該容器に植え付けられた植物とを備え、土壌に配置された容器−植物複合体に対して、複数の薬液吐出口を有する薬液供給管を配置する第１工程と、当該薬液供給管に薬液を流通させることで、前記複数の薬液吐出口から薬液を吐出して、前記容器−植物複合体に薬液を供給する第２工程と、前記植物を成長させて、前記植物の根を前記木材腐朽菌に接触させつつ、当該木材腐朽菌が接触した根を前記土壌に伸長させることで、前記木材腐朽菌を前記汚染土壌に定着させて、当該汚染土壌を浄化する第３工程と、を有することを特徴とする土壌浄化方法である。
【００３５】
このような土壌浄化方法によれば、植物に薬液を供給し、この植物を成長させて、植物の根を木材腐朽菌に接触させつつ、木材腐朽菌が接触した根を土壌に伸長させることで、木材腐朽菌を前記土壌に定着させて土壌を浄化することができる。
【発明の効果】
【００３６】
本発明によれば、土壌や土壌に配置された木材腐朽菌等の薬液需要体に、好適に薬液を供給可能とする薬液供給装置、土壌浄化システム、及び、薬液供給方法並びに土壌浄化方法を提供することができる。
【発明を実施するための最良の形態】
【００３７】
以下、本発明の一実施形態について、図１から図６を参照して、詳細に説明する。
参照する図面において、図１は、本実施形態に係る汚染土壌浄化システムの全体構成を示す斜視図である。図２は、図１に示す薬液供給装置の薬液供給部を分解して示す斜視図である。図３は、図１に示す薬液供給装置の薬液吐出部の一部を分解して示す斜視図である。図４は、図１に示す汚染土壌浄化用容器−植物複合体の一部を破断した全体斜視図である。図５は、図４に示す汚染土壌浄化用容器の製造方法を段階的に示す工程図である。図６は、本実施形態に係る汚染土壌浄化方法を段階的に拡大して示す工程図である。
【００３８】
＜汚染土壌浄化システム＞
図１に示すように、本実施形態に係る汚染土壌浄化システムＳは、薬液供給装置１と、薬液需要体である汚染土壌浄化用容器−植物複合体２０１とを備えて構成されており、汚染土壌１０１に配置される汚染土壌浄化用容器−植物複合体２０１（図６（ｄ）参照）に薬液を供給して、汚染土壌１０１を浄化するシステムである。
【００３９】
［薬液供給装置］
薬液供給装置１は、２つの薬液タンク１１、２１（薬液供給源）を有し、薬液を供給する薬液供給部１Ａと、薬液を吐出する薬液吐出部１Ｂとを備えて構成されている。
【００４０】
（薬液供給部）
図１及び図２に示すように、薬液供給部１Ａは、第１薬液供給系１０と、第２薬液供給系２０と、第１薬液供給系１０と第２薬液供給系２０と薬液吐出部１Ｂとを接続させる三つ股構造のＹ字形コネクタ３１とを備えて構成されており、２系統で薬液を供給可能となっている。ただし、薬液供給系は２系統に限定されることはなく、１系統であってもよいし、３、４、５…以上の複数系統であってもよい。
【００４１】
図２に示すように、第１薬液供給系１０は、薬液タンク１１と、ホース１２、１４と、流量調整弁１３（流量調整手段）と、薬液タンク１１を所定高さ位置に設置する図示しない薬液タンク台（薬液供給源保持手段）とから構成されている。薬液タンク１１から下流側に向かって、ホース１２、流量調整弁１３、ホース１４の順で接続しており、ホース１４の下流側はＹ字形コネクタ３１に接続している。
【００４２】
薬液タンク１１は、その下部にコック１１ａを有している。コック１１ａを開くと、貯溜された薬液は自重により流出し、特別な動力を必要とせずに薬液を供給可能となっている。
また、流量調整弁１３の弁体を、図２に示す矢印１３Ａの方向に適宜回転させ開閉度を調整することで、薬液タンク１１からＹ字形コネクタ３１に供給される薬液の流量を、ゼロを含み適宜調整可能となってる
【００４３】
薬液タンク１１、ホース１２、流量調整弁１３、ホース１４は、耐腐食性、耐液性、耐久性を考慮して、例えば、テトラフルオロエチレン等から形成されている。第２薬液供給系２０及び薬液吐出部１Ｂを構成する機器、部材についても、特に説明しない限り同様とする。
【００４４】
第２薬液供給系２０は、薬液タンク２１と、ホース２２、２４と、流量調整弁２３と、薬液タンク台（図示しない）とから構成されている。そして、流量調整弁２３の弁体を矢印２３Ａの方向に適宜回転させることで、薬液タンク２１から薬液の流量を調整して、Ｙ字形コネクタ３１に供給可能となっている。
【００４５】
したがって、薬液供給部１Ａでは、流量調整弁１３及び流量調整弁２３を、適宜操作することで、薬液吐出部１Ｂに供給する薬液の量を調整可能なだけでなく、薬液の種類を切り換え可能となっている。さらに、Ｙ字形コネクタ３１で混合し（例えば、薬液の一方を水として希釈する）、薬液吐出部１Ｂに供給することも可能となっている。
ここで、本実施形態において、特許請求の範囲における「切り換え手段」は、流量調整弁１３、２３及びＹ字形コネクタ３１を備えて構成されている。
【００４６】
（薬液吐出部）
次に、薬液吐出部１Ｂについて、図１及び図３を参照して説明する。
図１に示すように、薬液吐出部１Ｂは、薬液供給部１Ａから供給された薬液を吐出する部分であり、Ｙ字形コネクタ３１の下流側に接続した薬液供給主管４０と、薬液供給主管４０に枝状に接続した６本の薬液供給枝管５１と、薬液供給主管４０及び各薬液供給枝管５１を連結する十字形コネクタ６１、６２及びＴ字形コネクタ６４と、薬液吐出口４３ａ、５１ａ（図３参照）を塞ぐ完全密閉栓７１及び不完全密閉栓７２（薬液吐出口開閉度調整手段）と、各薬液供給枝管５１の最下流端を塞ぐ最下流栓８１と、薬液供給枝管５１の周面を被覆した不織布９１（浸透性部材）とを備えて構成されている。
なお、図１及び図３では、わかりやすく説明するため、不織布９１が被覆した部分と被覆していない部分を描いている。
【００４７】
薬液供給主管４０は、第１薬液供給主管４１と、第２薬液供給主管４２と、第３薬液供給主管４３とから構成されている。第１薬液供給主管４１は、Ｙ字形コネクタ３１の下流側に連結している。そして、第１薬液供給主管４１の下流側には順に、十字形コネクタ６１、第２薬液供給主管４２、十字形コネクタ６２、第３薬液供給主管４３、Ｔ字形コネクタ６４が連結している。
【００４８】
第２薬液供給主管４２には断面円形の薬液吐出口が形成されており、第３薬液供給主管４３には薬液吐出口４３ａが形成されており、不完全密閉栓７２（図３参照）がそれぞれ取り付けられている。
第１薬液供給主管４１、第２薬液供給主管４２及び第３薬液供給主管４３と、各薬液供給枝管５１は、前記したように本実施形態ではテトラフルオロエチレン製であるためフレキシブル性（伸縮性、柔軟性）を有しており、薬液吐出部１Ｂが配置される汚染土壌１０１の形状に応じて、薬液供給主管４０及び薬液供給枝管５１を、例えば王の字状、網目状等に配置自在となっている。
また、薬液供給主管４０及び薬液供給枝管５１の長さは、薬液を供給する範囲などに応じて自由に変更可能である。
【００４９】
６本の薬液供給枝管５１は、十字形コネクタ６１、十字形コネクタ６２、Ｔ字形コネクタ６４に、それぞれ連結している。
【００５０】
すなわち、薬液供給主管４０と薬液供給枝管５１とは、十字形コネクタ６１、十字形コネクタ６２、Ｔ字形コネクタ６４（以下、総称してコネクタという）を介して、相互に着脱自在に連結している。
ただし、薬液供給主管４０、薬液供給枝管５１及びコネクタの数はこれに限定されず、適宜変更可能である。また、コネクタの形状は、十字形、Ｔ字形に限らず適宜変更してよく、少なくとも２以上の管を連結可能であればどのようであってもよい。さらに、コネクタは連結した管の連結角度を任意に可変可能とするものでもよい。さらにまた、コネクタとして開閉弁を有するコネクタを使用してもよく、このような開閉弁付きのコネクタによれば、各コネクタ毎の開閉弁を適宜調整することで、薬液吐出部１Ｂにおける薬液吐出量を部分的に設定し、所望の場所に、所望量の薬液を供給することができる。その他、開閉弁を有する注入口付きのコネクタであってもよく、このような注入口付きコネクタによれば、その注入口から薬液を部分的に注入することもできる。
【００５１】
薬液供給枝管５１には、断面円形の薬液吐出口５１ａが所定間隔で形成されており、薬液を吐出可能となっている。また、薬液供給枝管５１は、前記したように伸縮性を有するテトラフルオロエチレン製であるため、薬液吐出口５１ａに挿入される不完全密閉栓７２の直径を適宜変更することで、薬液吐出口５１ａと不完全密閉栓７２との間に形成される隙間の大きさを自由に変更して、薬液の吐出量を調整可能となっている。
【００５２】
本実施形態における薬液吐出口開閉度調整手段は、前記したように、断面円形の完全密閉栓７１と断面三角形の不完全密閉栓７２とから構成されており、完全密閉栓７１と不完全密閉栓７２とから適宜選択して薬液吐出口５１ａに取り付けることで、薬液吐出部１Ｂにおける薬液吐出量を調整することができる。さらに具体的に説明すると、完全密閉栓７１が取り付けられた薬液吐出口５１ａでは、薬液は吐出不能となっている。一方、不完全密閉栓７２が取り付けられた薬液吐出口５１ａでは、不完全密閉栓７２と薬液吐出口４３ａ、５１ａとの隙間から、薬液が、液滴状で少量ずつ徐々に時間をかけて吐出可能となっている。
ただし、不完全密閉栓７２の形状、形態はこれに限定されず、薬液吐出口５１ａを介して薬液吐出枝管５１の内部から外部へ薬液を吐出可能であればどのようであってもよく、例えば、所定大きさの貫通孔を有する不完全密閉栓、外形が段型である不完全密閉栓、本体がメッシュ状である不完全密閉栓、薬液を吸収したり放出できる素材から形成された不完全密閉栓などであってもよい。
【００５３】
また、完全密閉栓７１と不完全密閉栓７２との配置は、例えば、薬液の供給対象である汚染土壌浄化用容器−植物複合体２０１の配置等に対応させて適宜変更可能である。さらに、薬液吐出口５１ａに挿入する栓の種類、数を適宜選択することによって、薬液吐出部１Ｂにおいて部分的に薬液吐出量の強弱を設定することもできる。
【００５４】
最下流栓８１は、各薬液供給枝管５１の最下流端に着脱自在に取り付けらおり、取り付けられた状態で、薬液供給枝管５１の最下流端を密閉する薬液供給枝管最下流端密閉手段である。そして、後記するように薬液供給装置１を使用するとき、薬液供給枝管５１の下流端を土壌の表面に突出させた状態で、最下流栓８１を適宜取り外すことで、薬液が薬液供給枝管５１の下流端まで到達しているか否かを、容易に確認することができる。
ただし、薬液供給枝管最下流端密閉手段としては最下流栓８１に限定されず、その他に例えば、薬液供給枝管５１の最下流端部に取り外し可能に設けられるストッパや、薬液供給枝管５１を挟持するチューブクランプを使用してもよい。
【００５５】
不織布９１（浸透性部材）は、薬液の浸透性を有し、薬液吐出口５１ａに被さるようにして、薬液供給枝管５１の周面を覆っている。したがって、薬液吐出口５１ａから吐出した薬液は、毛細管現象により不織布９１の内部を浸透可能となっている。よって、図１の符号９１Ａに示すように、薬液の供給範囲を薬液供給枝管５１の長手方向に拡大することができる。
すなわち、薬液吐出口５１ａから吐出される薬液の量が微量であったり、隣接する薬液吐出口５１ａの間隔が広かったり、薬液吐出口５１ａの数が少なくても、一つの薬液吐出口５１ａから吐出された薬液を拡散して、汚染土壌浄化用容器−植物複合体２０１に好適に供給可能となっている。
また、不織布９１は湿潤状態であることが好ましく、このように湿潤状態であると薬液が不織布９１内部を浸透しやすくなる。したがって、薬液供給装置１の使用時、不織布９１による被覆時には、不織布９１に水を散水する、不織布９１を水に浸す等行い、湿潤状態とすることが好ましい。
ただし、浸透性部材としては、不織布９１に限定されず、その他に例えば紙等であってもよい。
【００５６】
［汚染土壌浄化用容器−植物複合体］
（汚染土壌浄化用容器−植物複合体の構成）
次に、汚染土壌浄化用容器−植物複合体２０１について、図４を参照して説明する。
図４に示すように、汚染土壌浄化用容器−植物複合体２０１は、鉢２４１に入れられており、中央に位置する汚染土壌浄化用容器２２０と、汚染土壌浄化用容器２２０に植え付けられた植物２１０と、木材腐朽菌２０５、２０５ａと、隙間に充填された培養土２４２、２４３を備えて構成されている。なお、符号２０５は、汚染土壌浄化用容器２２０の容器本体２２１に定着した木材腐朽菌、符号２０５ａは、植物２１０の生育にともなって、その根２１１に接触し分散した木材腐朽菌を示す。符号２４２は、鉢２４１と汚染土壌浄化用容器２２０の間に敷き詰められた培養土、符号２４３は汚染土壌浄化用容器２２０と植物２１０の間に敷き詰められた培養土を示す。
【００５７】
汚染土壌浄化用容器２２０は、容器本体２２１と、容器本体２２１の下部に定着した木材腐朽菌２０５を備えて構成されている。
【００５８】
容器本体２２１は、一旦、木材腐朽菌２０５を容器本体２２１に定着させた後、植物２１０を植え付けることにより、植物２１０と木材腐朽菌２０５とを効果的に接触させるものである。容器本体２２１の大きさ・形状は、植物２１０の大きさ、浄化対象とする汚染土壌の面積等に対応して適宜変更してよく、例えば、平面型や立体型などの容器本体を使用可能であり、また、公知のポットを使用してもよい。
【００５９】
本実施形態では、無底の正四角錘の形状を呈する容器本体２２１を、頂点を鉛直下向きにして使用している（図５参照）。すなわち、容器本体２２１は鉛直上方が開口しており、内周面は木材腐朽菌２０５が定着し易いように表面が粗く、すり鉢状となっている。
また、容器本体２２１の下部には、容器本体２２１の内部と外部を連通する貫通孔２２１ａ（図５参照）が形成されており、植設される植物２１０の根２１１が、貫通孔２２１ａを経由して、容器本体２２１の外部に容易に貫通可能となっている。
【００６０】
さらに、容器本体２２１は、ピートモス等の泥炭土由来材料、ポリ乳酸、ポリカプロラクトン、ビオノーレ等の生分解性ポリマー、コンポスト、セルロース、紙類などの生分解性材料から形成されている。したがって、容器本体２２１が、培養土２４２、汚染土壌１０１（図６参照）に配置されると、徐々に腐朽し、分解され、汚染土壌１０１の浄化後、容器本体２２１の回収は不要となっている。また、容器本体２２１自体の分解・腐朽とともに、隙間が形成される。したがって、植物２１０の根２１１は、貫通孔２２１ａを介してのみでなく、この隙間を経由して外部に貫通可能となっている。
【００６１】
木材腐朽菌２０５は、容器本体２２１の下部において、内側及び外側の両方で薄く層状に定着しており、さらに、植物２１０の根２１１にも接触し、培養土２４２に広範囲で分散している。
木材腐朽菌２０５としては、汚染土壌１０１（図６参照）に含有されるダイオキシン等の環境汚染物質を浄化可能な酵素を産生する菌であれば、本発明では特に限定されず、公知の木材腐朽菌から適宜選択して使用可能である。また、木材腐朽菌２０５は、後記するように、容器本体２２１に塗布された培地２２３に接種され、培養されたものである（図５参照）。
【００６２】
このような木材腐朽菌２０５のうち、白色腐朽菌としては、例えば、ファネロキエーテ・クリソスポリウム（Ｐｈａｎｅｒｏｃｈａｅｔｅ  ｃｈｒｙｓｏｓｐｏｒｉｕｍ、ＢＫＭＦ−１７６７、ＡＴＣＣ−２４７２４）、ファネロキエーテ・ソルディダ（Ｐｈａｎｅｒｏｃｈａｅｔｅ  ｓｏｒｄｉｄａ、ＩＦＯ−３１２４９）、プレウロタス・オストレアタス（Ｐlｅｕｒｏｔｕｓ  ｏｓｔｒｅａｔｕｓ、ＩＦＯ−６５１５）（ヒラタケ）、コリオラス・ベルシカラー（Ｃｏｒｉｏｌｕｓ  ｖｅｒｓｉｃｏｌｏｒ、ＩＦＯ−３０３４０）（カワラタケ）、ブジェルカンデラ・アダスタ（Ｂｊｅｒｋａｎｄｅｒａ  ａｄｕｓｔａ、ＩＦＯ−４９８３）などが挙げられる。
褐色腐朽菌としては、例えば、タイロマイセス・パルストリス（Ｔｙｒｏｍｙｃｅｓ  ｐｌｕｓｔｒｉｓ、ＩＦＯ−３０３３９）（オオウズラタケ）、グロエオフィルラム・トラビユーム（Ｇｌｏｅｏｐｈｙｌｌｕｍ  ｔｒａｂｅｕｍ、ＡＴＣＣ−１１５３９）などが挙げられる。
【００６３】
また、木材腐朽菌２０５は、野生株、当該野生株と他の微生物（菌根菌や根粒細菌など）からなる混合株、細胞融合株、変異株、及び遺伝子組換株からなる群の中から選択された少なくとも１種である。さらに、木材腐朽菌２０５は、白色腐朽菌、褐色腐朽菌を、単独で使用してもよいし、または２種以上を組み合わせて使用してよい。
【００６４】
植物２１０は、その根２１１に木材腐朽菌２０５を被覆するように分散・接触させた後、根２１１に木材腐朽菌２０５ａが接触したまま、植物２１０及びその根２１１が生育することにより、汚染土壌１０１（図６参照）に根２１１が伸長して木材腐朽菌２０５を定着させるためものであり、その種類について特に限定されることはない。
本実施形態では、取扱性、木材腐朽菌２０５を接触・分散させる根２１１の密度等を考慮して、地表を被覆するように生育するグランドカバープランツを使用している。
グランドカバープランツは、芝草の類、主に栄養繁殖するもの、主に種子繁殖するものの３つに大別される。
【００６５】
芝草の類としては、例えば、みやこ芝、ノシバ、コウライシバ、バミューダグラス、ウィーピングラブグラス、バヒアグラス等の暖地型芝草、クリーピングベントグラス、ケンクッキーブルーグラス、トールフェスク、クリーピングレッドフェスク、ペレニアルライグラス等の寒地型芝草が挙げられる。
【００６６】
主に栄養繁殖するものとしては、アークトセカ、アジュガ、カンスゲ、ギボウシ類、シバザクラ、シャガ、シュッコンバーベナ、シラン、セキショウ、セダム類、ヒガンバナ、ヘメロカリス、ポテンティラ、マツバギク、ヤブラン、リュウノヒゲ等の草本類、アベリア、イブキジャコウソウ、イワダレソウ、コトネアスター類、ハマギク、ヒペリカム類、ルブス、カリシノイデス等の木本類、オオイタビ、テイカカズラ、ビンカ、マジョー、ビンカ、ミノール、ヘデラ類等のつる植物、クマザサ、コグマザサ、オカメザサ等のササ類が挙げられる。
【００６７】
主に種子繁殖するものとしては、クリーピングタイム、シロクローバ、ダイカンドラ、ヘアリーベッチ、バーズフットトレフォイル、ローマンカモミール等が挙げられる。
【００６８】
また、植物２１０は、図４に示すように、鉢２４１内で適度に生育しており、その根２１１は、培養土２４２内に密で伸長している。根２１１の表面には、木材腐朽菌２０５ａが付着している。よって、木材腐朽菌２０５ａは、培養土２４２内に広範囲で分散している。
【００６９】
（汚染土壌浄化用容器−植物複合体の製造方法）
次いで、汚染土壌浄化用容器−植物複合体の製造方法について説明する。
汚染土壌浄化用容器−植物複合体の製造方法は、汚染土壌浄化用容器の製造ステップと、汚染土壌浄化用容器−植物複合体の製造ステップとを有している。
【００７０】
まず、汚染土壌浄化用容器の製造ステップについて、図５を参照して説明する。
汚染土壌浄化用容器の製造ステップは、図５に示すように、容器本体２２１に培地２２３を塗布して設ける培地塗布工程（図５（ｃ）参照）と、培地２２３に木材腐朽菌２０５を接種させる木材腐朽菌接種工程（図５（ｄ）参照）と、接種後木材腐朽菌を培養させる木材腐朽菌培養工程（図５（ｅ）参照）を含んで構成されている。
【００７１】
図５（ｃ）に示すように、容器本体２２１に培地２２３を塗布して設ける（培地塗布工程）。このように培地２２３を設けることにより、木材腐朽菌２０５を短期間で培養し、容器本体２２１により確実に安定して接種・定着させることが可能となる。
培地２２３としては、木材腐朽菌２０５が良好に培養可能であれば本発明では特に限定されないが、例えば、ポテトデキストロースまたは麦芽エキス、これにグルコース、ヘプトン、酵母エキス、アスパラギン、リン酸二水素カリウム、硫酸マグネシウム、サイアミンなどを添加した培地などが挙げられる。
【００７２】
培地塗布工程と並行して別途に、図５（ａ）〜図５（ｂ）に示すように、容器本体２２１に接種させる木材腐朽菌２０５を、予め培養させて準備しておく。
木材腐朽菌２０５を板状の寒天培地プレート２３１に植菌した後（図５（ａ）参照）、所定時間培養することにより、木材腐朽菌植菌プレート２３２が調整される（図５（ｂ）参照）。このように木材腐朽菌２０５を、一旦、好適に培養可能な寒天培地プレート２３１に接種し増殖した後、容器本体２２１に接種することにより、より確実に容器本体２２１に木材腐朽菌２０５を接種することができる。
【００７３】
そして、このように調製した木材腐朽菌植菌プレート２３２を適宜な大きさに分割し、その一部２３２ａを、容器本体２２１に塗布した培地２２３に接種する。その後、木材腐朽菌２０５が容器本体２２１に定着するように、所定条件で所定時間にて培養する。
培養する温度は、一般に、１０〜３７℃の範囲、好ましくは２５〜３０℃である。また、培養日数は、木材腐朽菌が充分に増殖されればよく、一般に、４〜２０日間の範囲、好ましくは、５〜１５日間である。
このような培養後、容器本体２２１の下部の内側及び外側が木材腐朽菌２０５で覆われた汚染土壌浄化用容器２２０を製造することができる（図５（ｅ）参照）。
【００７４】
次に、汚染土壌浄化用容器−植物複合体２０１の製造ステップについて、図４を参照して説明する。
汚染土壌浄化用容器−植物複合体２０１の製造方法は、適宜な鉢２４１等の容器に培養土２４２を敷き詰め適宜な大きさの窪みを形成し、この窪みに汚染土壌浄化用容器２２０を配置する汚染土壌浄化用容器配置工程と、この汚染土壌浄化用容器２２０に、植物２１０を植え付ける植物植え付け工程と、適宜散水等を行いながら植物２１０を養生する植物養生工程を備えて構成されている。なお、各工程において、形成される隙間には、培養土２４２、２４３を適宜充填して埋めることにより、植物２１０が好適に生育可能となる。
【００７５】
培養土２４２、２４３としては、植物２１０が良好に生育可能であれば、その種類は特に限定されない。また、培養土２４２、２４３には、適宜肥料、土壌改良材等を配合して、植物２１０の生育を促進してもよい。
【００７６】
汚染土壌浄化用容器２２０に植え付ける植物２１０は、予め、別の鉢等で適宜散水しながら養生し、生育状況を管理したものであることが好ましい。
【００７７】
このように、一旦、環境汚染物質が含まれず生育しやすい培養土２４２、２４３で、植物２１０を良好な生育条件で養生させることにより、植物２１０は良好に生育することができる。植物２１０の生育と共に、植物の根２１１は良好に生育し、容器本体２２１に定着した木材腐朽菌２０５に接触しながら、容器本体２２１の貫通孔２２１ａを経由して、外側の培養土２４２中に伸長する。したがって、培養土２４２中で、木材腐朽菌２０５は、植物２１０の根２１１に被覆するように接触すると共に、好適に分散した状態となる。このようにして、汚染土壌浄化用容器−植物複合体２０１は製造される。
【００７８】
＜薬液供給方法及び汚染土壌浄化方法＞
続いて、本実施形態に係る薬液供給方法を含む汚染土壌浄化方法について、図１及び図６を参照して説明する。
汚染土壌浄化方法は、汚染土壌１０１に薬液供給装置１を配置する薬液供給装置配置工程と、汚染土壌１０１を覆うようにマット状のマット状植物１０２を植え付けるマット状植物植え付け工程と、マット状植物１０２の上方から所定の大きさのコアを抜き取り配置穴１０２ａを形成する配置穴形成工程と、配置穴１０２ａに汚染土壌浄化用容器−植物複合体２０１を配置する汚染土壌浄化用容器−植物複合体配置工程と、必要に応じてシートＳを覆うように設けるシート設置工程、配置した汚染土壌浄化用容器−植物複合体２０１に薬液を供給し、植物２１０を生育させて木材腐朽菌２０５、２０５ａを汚染土壌１０１に定着させる薬液供給工程と、汚染土壌１０１を浄化する汚染土壌浄化工程を有している。
【００７９】
まず、浄化対象である汚染土壌１０１に含まれる環境汚染物質としては、本発明では特に限定されないが、例えば、ＤＤＴ、ジコホール、メトキシクロル、アルドリン、デイルドリン、クロルデン、２、４、５−トリクロロフエノキシ酢酸などの農薬、トリクロロエチレン、テトラクロロエチレンなどの有機塩素化合物、ペンクルロロフェノール、２、４、５−トリクロロフェノールなどのポリ塩化フェノール類、３、４、３’、４’−テトラクロロビフェニールなどのポリ塩化ビフェニール類（ＰＣＢ）、２、７−ジクロロジペンゾ−Ｐ−ジオキシンなどのダイオキシン類、ジニトロトルエン、２、４、６−トリニトロトルエン、ニトログリセリンなどのニトロ化合物、３、４−ジクロロアニリンなどのクロロアニリン類、ナフタレン、アントラセン、ペンゾ（a）ピレン、フェナントレンなどの多環式芳香族炭化水素、ベンゼン、トルエン、キシレン、エチルベンゼンなどの芳香族炭化水素、環境ホルモン、アゾ色素、トリフェニルメタン色素などの染料などを挙げられる。
【００８０】
また、このような環境汚染物質により汚染された汚染土壌１０１としては、本発明では特に限定されず、例えば、農地（水田も含む）、焼却場周辺土壌、工場跡地、原油流出事故現場の土壌などが挙げられる。また、このような環境汚染物質に汚染されるおそれのある土壌、例えば新規に建設された焼却炉の周辺土壌などに適用してもよい。
【００８１】
［薬液供給装置配置工程］
まず、図１及び図６（ａ）に示すように、薬液供給装置１の薬液吐出部１Ｂを汚染土壌１０１の表面に配置する。この配置において、薬液吐出部１Ｂの薬液供給主管４０及び薬液供給枝管５１は、汚染土壌浄化用容器−植物複合体２０１の配置に対応させて、例えば、網目状に配置させる。また、この配置において、薬液供給枝管５１の下流端は、後記するマット状植物１０２の表面から突出するようにする。
さらに、薬液吐出部１Ｂを配置する前に、汚染土壌１０１の表面を掻きほぐし、薬液の浸透性を高めてもよい。
さらにまた、薬液吐出部１Ｂを配置する深さ位置は、汚染土壌１０１の汚染程度等に応じて適宜変更自由であり、鉛直方向に２層式など複数の層状に薬液吐出部１Ｂを配置してもよい。その他に例えば、ダイオキシン汚染土壌のように地表付近の表層土壌を対象とする場合には、地表付近に薬液吐出部１Ｂ及び汚染土壌浄化用容器−植物複合体２０１を配置して、薬液を供給することで、木材腐朽菌２０５、２０５ａ及び植物２１０に好適な薬液供給ができるばかりでなく、ダイオキシン汚染層等の表層土壌以下への薬液の無駄な漏出を防ぐこともできる。
【００８２】
［マット状植物植え付け工程］
そして、図６（ｂ）に示すように、薬液供給部１Ｂを配置した汚染土壌１０１の表面を覆うように、マット状植物１０２を植え付ける。このように、汚染土壌１０１の表面を覆うことにより、雨水等により木材腐朽菌が流出しにくくなり、木材腐朽菌を定着させることができる。
【００８３】
［配置穴形成工程］
それから、図６（ｃ）に示すように、薬液供給部１Ｂの薬液吐出口５１ａの位置に対応して、適宜な手段を使用してコアを抜き取り、汚染土壌浄化用容器−植物複合体２０１を配置する配置穴１０２ａを形成する。この配置穴２０１の大きさは、汚染土壌浄化用容器−植物複合体２０１の大きさに対応させる。
【００８４】
［汚染土壌浄化用容器−植物複合体配置工程］
その後、図６（ｄ）に示すように、配置穴１０２ａに、汚染土壌浄化用容器−植物複合体２０１を埋め込み、すり込みを行う（図６（ｅ）参照）。このとき、木材腐朽菌及び植物の生育を促進するために、培養液、培地などを適宜添加してもよい。
【００８５】
［シート設置工程］
それから、図６（ｆ）に示すように、必要に応じて汚染土壌浄化用容器−植物複合体２０１及びマット状植物１０２の表面を覆うように、シートＳを設置する。このようにシートＳを設置することで、雨水を防ぎ、雨水により木材腐朽菌が流出することを防止できる。また、シートＳを設けることで保温性が高まるため、木材腐朽菌の活性が高くなり、汚染土壌１０１を好適に浄化することができる。
【００８６】
［薬液供給工程］
その後、薬液供給装置１から、汚染土壌浄化用容器−植物複合体２０１に薬液を供給して、植物２１０を生育させる。この薬液の供給において、薬液吐出部１Ｂは、前記したように、汚染土壌浄化用容器−植物複合体２０１に対応して配置されているため、薬液は徐々に汚染土壌浄化用容器−植物複合体２０１に供給される。
【００８７】
植物２１０（図４参照）が生育すると、植物の根２１１も生育し、この成長した根２１１は木材腐朽菌２０５に接触する。さらに、植物２１０が成長すると根２１１は、汚染土壌１０１内部を水平方向及び垂直方向に伸長する。そうすると、この根２１１に付着した木材腐朽菌２０５ａも、汚染土壌１０１内部を鉛直方向及び水平方向へ分散し、汚染土壌１０１に広範囲に分散した状態で良好に定着する。
また、薬液を供給しているときに、マット状植物１０２の表面に突出した最下流栓８１を取り外すことで、薬液供給枝管５１の下流端まで、薬液が到達しているか否かを容易に確認することができる。
【００８８】
［汚染土壌浄化工程］
そして、木材腐朽菌２０５、２０５ａの産生する酵素が、ダイオキシン等の環境汚染物質に作用して分解し、汚染土壌１０１は好適に浄化される。
このように本実施形態に係る汚染土壌浄化方法によれば、汚染土壌１０１に木材腐朽菌を好適に定着可能となるため、汚染土壌を効果的に浄化することができる。
【００８９】
また、このような汚染土壌浄化方法によれば、木材腐朽菌にも好適な水または栄養等の薬液を供給可能であり、木材腐朽菌の活性を高めて酵素の産生等を促進させることで、汚染土壌１０１中の環境汚染物質の分解を高め、汚染土壌を好適に浄化することができる。
【００９０】
以上、本発明の好適な実施形態について一例を説明したが、本発明は前記実施形態に限定されず、本発明の趣旨を逸脱しない範囲で、適宜変更が可能である。
【００９１】
前記した実施形態では、汚染土壌浄化用容器−植物複合体２０１に薬液を供給して、汚染土壌１０１を浄化するとしたが、薬液を供給する対象はこれに限定されず、単に土壌や微生物等であってもよく、薬液を供給する目的は、土壌改良、土壌環境整備、微生物及び／又は植物の生育を促進することであってもよい。
具体的に例えば、薬液供給装置１を使用することにより、屋上緑化を含む緑化や菌根菌の利用などを良好に行うことができる。また、バイオステイミュレーション方式による土壌浄化において、糖類を含む薬液を徐々に供給して、汚染土壌に生息する微生物（分解菌）を増幅することができる。さらに、バイオオーグメンテーション方式による土壌浄化において、木材腐朽菌などを汚染土壌に投入するときに水、栄養などを効率的に供給することができる。
【００９２】
前記した実施形態では、薬液吐出口開閉度調整手段を、完全密閉栓７１と不完全密閉栓７２とで構成したが、本発明ではこれに限定されず、その他に例えば、単に開口面積の異なる薬液吐出口を形成することで、薬液吐出口開閉度調整手段としてもよい。
【００９３】
前記した実施形態では、切換手段を、流量調整弁１３、２３、及びＹ字形コネクタ３１を備えて構成したが、その他に例えば三方バルブを使用してもよい。このように三方バルブを使用すると、薬液の供給量を調整することもできる。
【実施例】
【００９４】
以下、実施例に基づいて、本発明をさらに具体的に説明する。
【００９５】
（実施例）
（１）汚染土壌浄化システム
（１−１）薬液供給装置
薬液供給装置１は、薬液供給部１Ａの薬液供給系を第１薬液供給系１０のみの１系統とし、薬液供給タンク１１として水流調整可能な２０Ｌ円柱型タンク、ホース１２を３０ｃｍ、流量調整弁１３として水流調節コック、この水流調節コックに接続する９０ｃｍの第１薬液供給主管４１、３０ｃｍの第２薬液供給主管４２及び３０ｃｍの第３薬液供給主管４３、２０ｃｍ間隔で４ｍｍ径の薬液吐出口５１ａを有する４５ｃｍの薬液供給枝管５１を６本、十字形コネクタ６１、６２、Ｔ字コネクタ６４、４ｍｍ径の完全密閉栓７１と不完全密閉栓７２とを合わせて１４個、３０ｃｍ×３０ｃｍの不織布９１を８枚、最下流栓８１を６個を使用して構成し、薬液吐出部１Ｂは王の字形とした。なお、ホース１２、第１薬液供給主管４１、第２薬液供給主管４２、第３薬液供給主管４３、薬液供給枝管５１はテトラフルオロエチレン製とした。
【００９６】
（１−２）薬液
薬液は、水と、１００μＭの硫酸マンガン水溶液（ＭｎＳＯ4）の２種類から適宜選択して使用した。
【００９７】
（２）汚染土壌浄化用容器−植物複合体
（２−１）汚染土壌浄化用容器の製造
（２−１−１）接種用木材腐朽菌の調製
木材腐朽菌としては、白色腐朽菌［ファネロキエーテ・クリソスポリウム（Ｐｈａｎｅｒｏｃｈａｅｔｅ  ｃｈｒｙｓｏｓｐｏｒｉｕｍ）ＢＫＭＦ−１７６７、ＡＴＣＣ−４２７２５］を使用した。白色腐朽菌は、予め、２％ポテトデキストロース（ＰＤＡ）からなる寒天培地に植菌し、２８℃で７日間培養して、菌糸状で接種用の白色腐朽菌植菌プレートを調製した。
【００９８】
（２−１−２）容器本体及び培地の塗布
容器本体としては、入口が一辺の長さが８ｃｍの正方形、底部が一辺高さが６．５ｃｍの長さの正方形、高さが６ｃｍの容器を使用した。また、容器本体は、ミズゴゲが堆積し、透水性及び保水性に優れたビートモスを主成分とする生分解性材料から形成されものを使用した。
そして、容器本体に、培地として１％麦芽エキス（Ｄｉｆｃｏ社製）を、容器本体の底部から４ｃｍの高さまで塗布して湿らせた。
【００９９】
（２−１−３）白色腐朽菌の接種・培養
そして、白色腐朽菌植菌プレートを、３ｍｍ×３ｍｍの大きさに分割し、容器本体の下部に接種した。その後、２８℃で７日間培養し、容器本体の下部から約４ｃｍの高さまで、外側も内側も白色腐朽菌に覆われた汚染土壌浄化用容器を製造した。
【０１００】
（２−２）汚染土壌浄化用容器−植物複合体の製造
（２−２−１）みやこ芝（植物）
植物としては、暖地型芝草の一種であるみやこ芝を使用した。みやこ芝は、予め、土壌に植え付け、適宜散水しながら３週間養生し、生育状況を調整したものを使用した。
【０１０１】
（２−２−２）みやこ芝の植え付け
そして、適宜な大きさのケースに赤玉土を敷き詰め、赤玉土に窪みを形成し、その上に汚染土壌浄化用容器を載せた。その後、別途準備したみやこ芝を、その生育土壌から直径６ｃｍ、深さ４ｃｍの大きさのコアで抜き取り、汚染土壌浄化用容器に植え付けて、すり込みを行った。このすり込みの際、形成された隙間には、適宜、赤玉土を充填し埋めた。その後、徐々に水を供給しながら養生して、汚染土壌浄化用容器−みやこ芝（植物）複合体を製造した。
【０１０２】
（３）汚染土壌
汚染土壌としては、焼却灰と一般の土壌を混合して、ダイオキシンが含有されるダイオキシン汚染模擬土壌を調製し、９０ｃｍ四方の試験区に１０ｃｍの厚さで敷き詰めた。ダイオキシン汚染模擬土壌に含まれるダイオキシン濃度は、８００（ｐｇ−ＴＥＱ／ｇ）である。なお、「ＴＥＱ」とは、毒性等量あり、ダイオキシン類の量を、ダイオキシン類の中で最強の毒性を有する２、３、７、８一四塩化ジペンゾパラジオキシンの量に換算した量として表すことを示す記号である。
【０１０３】
（４）薬液供給装置及び汚染土壌浄化用容器−みやこ芝複合体の配置
ダイオキシン汚染模擬土壌に肥料を播き、散水した後に薬液供給装置を配置した。次いで、この薬液供給装置の薬液吐出部及びダイオキシン汚染模擬土壌を覆うように、マット状のみやこ芝（以下、これをマット状みやこ芝という）を植え付け、適宜散水しながら２週間養生することによって、ダイオキシン汚染模擬土壌をみやこ芝で被覆した。
その後、マット状みやこ芝に適宜な大きさのコアを抜き取って配置穴を形成し、汚染土壌浄化用容器−みやこ芝複合体を植え付けた。植え付ける際に形成された隙間は、適宜、赤玉土を充填し埋めた。
【０１０４】
（５）薬液の供給
このような状態で薬液供給装置から、薬液として水を１０Ｌ／日で供給した。また、適宜、水を１００μＭ硫酸マンガン溶液に代えて供給した。この供給により、硫酸マンガン溶液中のマンガンイオンは、白色腐朽菌による酵素（マンガンペルオキシダーゼ）反応を活性化する。
このようにして、薬液を供給しながらみやこ芝を養生し、生育させるとともに、白色腐朽菌をダイオキシン汚染模擬土壌に定着させた。
【０１０５】
（６）評価
（６−１）みやこ芝及び白色腐朽菌の生育挙動の観察
汚染土壌浄化用容器一みやこ芝複合体を、ダイオキシン汚染模擬土壌に植え付けた２週間後と４週間後に掘り起こし、みやこ芝及び白色腐朽菌の生育状況を、目視により観察し評価した。これと並行して、顕微鏡観察による生育状況の評価も行った。
【０１０６】
（６−２）白色腐朽菌が産生する酵素活性の評価
白色腐朽菌が産生する酵素活性は、色素評価法により評価した。色素評価法とは、酵素の活性を色素により評価する方法であり、色素溶液と色素表を使用した。
【０１０７】
（６−２−１）色素溶液。
色素溶液は、１Ｌ当り、グルコースを１０ｇ、ＭｇＳＯ4を０．５ｇ、ＫＨ2ＰＯ4を２２ｇ、ＣaＣ１2を１００ｍｇ、微量元素溶液を１０ｍＬ、緩衝剤として２０ｍＭの酢酸ナトリウム（ｐＨ４．５）を含む溶液にフェノールレッド溶液（２ｇ／１００ｍＬ溶液を１ｍＬ添加した緩衝剤を残部として調製した。色素溶液１Ｌ当りの配合を表１に示す。
なお、ここで微量元素溶液とは、１Ｌあたり、ＭｇＳＯ4を３ｇ、ＭｎＳＯ4を０．５ｇ、ＮａＣｌを１．０ｇ、ＦｅＳＯ4・７Ｈ2Ｏを０．１ｇ、ＣｏＣｌ2を０．１ｇ、ＺｎＳＯ4・７Ｈ2Ｏを０．１ｇ、ＣｕＳＯ4を０．１ｇ、ＡｌＫ（ＳＯ4）2・１２Ｈ2Ｏを１０ｍｇ、Ｈ3ＢＯ3を１０ｍｇ、Ｎａ2ＭｏＯ4・２Ｈ2Ｏを１０ｍｇ及びニトリロ三酢酸塩を１．５ｇを、蒸留水として調整した溶液である。微小元素溶液１Ｌ当りの配合を表２に示す。
【０１０８】
【表１】
2005144216.tif 000003
【０１０９】
【表２】
2005144216.tif 000004
【０１１０】
（７−２−２）色素表
色素表は、ます、Ｎｏ．１からＮｏ．１４に対応して、黄色から深紅まで１４色を配列し、カラーモードＲＧＢを用いて、Ｎｏ．１からＮｏ．１０については、配合比を、レッドを１００、ブルーを２０に固定し、グリーンを０〜１００に１０ずつ変化させてＮｏ．１〜１１の色を作製した。
Ｎｏ．１２からＮｏ．１４については、グリーンを０、ブルーを２０に固定し、レッドを９０、８０、７０に変化させてＮｏ．１２〜１４の色を作製した。Ｎｏ．１〜Ｎｏ．１４について、配合比を表３に示す。なお、表３において、白色腐朽菌が産生する酵素の活性が高いほど、Ｎｏ．１４よりの色素を呈する。
【０１１１】
【表３】
2005144216.tif 000005
【０１１２】
（６−２−３）評価手順
実施例を配置し白色腐朽菌を接種後、２週間経過した土壌から所定量の土壌を採取した。そして、これを、色素溶液を３ｍＬ注いだ１５ｍＬ遠心チューブの中に添加した後、３０秒間、振動させて混合した。混合後、表３に示す色素表を用いて、色素溶液の色変化を観察し、色変化により、白色腐朽菌が産生した酵素の評価を行った。
【０１１３】
（比較例）
比較例として、ダイオキシン汚染模擬土壌に、前記方法で汚染土壌浄化用容器−みやこ芝複合体を植え付け、粗放管理した。即ち、水等の供給を１日に１０Ｌを一度に散水して行った以外は一切管理しなかった。
【０１１４】
（７）評価結果
（７−１）生育挙動評価結果
薬液供給装置を使用した実施例では、ダイオキシン汚染模擬土壌中にみやこ芝の根は良好に成育し、その根に絡んだ状態で土壌に広範囲に定着した白色腐朽菌を観察できた。一方、薬液を散水した比較例では、白色腐朽菌は、十分に定着していないことが観察された。
したがって、薬液供給装置を使用することにより、汚染土壌に白色腐朽菌が、好適に定着可能であることが確認された。
【０１１５】
（７−２）色素評価法による評価結果
実施例を配置したダイオキシン汚染模擬土壌から採取した土壌からは、表３に示す色素表において、Ｎｏ．８の色を示した。一方、比較例を投与した土壌は、色素表におけるＮｏ．５を示した。
したがって、実施例を投与したダイオキシン汚染模擬土壌に含まれる白色腐朽菌から産生された酵素の活性は、比較例に対して高いことがわかった。よって、薬液供給装置を使用することにより、好適に酵素を産生するとともに、酵素の活性化を促進する環境を整備することが可能であることを確認された。
【図面の簡単な説明】
【０１１６】
【図１】本実施形態に係る汚染土壌浄化システムの全体構成を示す斜視図である。
【図２】図１に示す薬液供給装置の薬液供給部を分解して示す斜視図である。
【図３】図１に示す薬液供給装置の薬液吐出部の一部を分解して示す斜視図である。
【図４】図１に示す汚染土壌浄化用容器−植物複合体の一部を破断した全体斜視図である。
【図５】図４に示す汚染土壌浄化用容器の製造方法を段階的に示す工程図である。
【図６】本実施形態に係る汚染土壌浄化方法を段階的に拡大して示す工程図である。
【符号の説明】
【０１１７】
Ｓ      汚染土壌浄化システム
１      薬液供給装置
１Ａ    薬液供給部
１Ｂ    薬液吐出部
１１、２１  薬液タンク（薬液供給源）
１３、２３  流量調整弁（流量調整手段、切換手段）
３１    Ｙ字形コネクタ（切換手段）
４０    薬液供給主管
４３ａ、５１ａ  薬液吐出口
５１    薬液供給枝管
６１、６２  十字形コネクタ
６４    Ｔ字形コネクタ
７１    完全密閉栓（薬液吐出口開閉度調整手段）
７２    不完全密閉栓（薬液吐出口開閉度調整手段）
９１    不織布（浸透性部材）
１０１  汚染土壌
１０２  植物
２０１  汚染土壌浄化用容器−植物複合体（薬液需要体）
２０５、２０５ａ  木材腐朽菌
２１０  植物
２１１  根
【図１】
2005144216.tif 000006
【図２】
2005144216.tif 000007
【図３】
2005144216.tif 000008
【図４】
2005144216.tif 000009
【図５】
2005144216.tif 000010
【図６】
2005144216.tif 000011